(57)【特許請求の範囲】
【請求項１】
第１の無線局（１０）と第２の無線局（１１）の制御方法であって、
各無線局（１０，１１）は、少なくとも１つの通信リンク（２０）を介して互いに接続されておりかつ通信プロトコルに従い制御も可能であり、
前記第１の無線局（１０）は、フレーム構造化された無線伝送プロトコル（２１１，２１２）に従いパケット交換によって少なくとも１つの端末器（５，６，７）と通信し、
前記無線伝送プロトコル（２１１，２１２）により、前記第１の無線局（１０）と少なくとも１つの端末機器（５，６，７）との間のコネクション指向通信が少なくとも１つのコネクションによって実現される形式の制御方法において、
前記通信プロトコルを利用する付加的なプロトコル層（２８０）を用い、各無線局（１０，１１）相互の通信をケーブル接続されたネットワーク（１）を介して行い、少なくとも１つのコネクションを制御するための制御メッセージ（１０１，１０３）を交換することを特徴とする、
第１の無線局と第２の無線局の制御方法。
【請求項２】
前記付加的なプロトコル層（２８０）に従い、第２の無線局（１１）から第１の無線局（１０）へ第１の制御メッセージ（１０１）の送信後、第１の無線局（１０）から送出され第１の制御メッセージ（１０１）に対し受領確認および／または応答する第２の制御メッセージ（１０３）が所定のタイムインターバル（１５０）満了前に第２の無線局（１１）に到着しなければ、前記第１の制御メッセージ（１０１）の送信を第２の無線局（１１）によって繰り返す、請求項１記載の方法。
【請求項３】
第１の無線局（１０）との通信から第２の無線局（１１）との通信への少なくとも１つの端末機器（５，６，７）の引き渡し（ハンドオーバ）を、少なくとも１つのコネクションが遮断されないよう前記タイムインターバル（１５０）の適切な選択により支援する、請求項２記載の方法。
【請求項４】
前記第１の無線局（１０）内に前記通信プロトコルを介して到達可能な無線局（１０，１１）のリストを格納し、規則的なタイムインターバルで更新する、請求項１または２または３記載の方法。
【請求項５】
第１の無線局（１０）と第２の無線局（１１）との間で制御メッセージ（１０１，１０３）を交換し、該制御メッセージ（１０１，１０３）の各々は、該制御メッセージのメッセージ型を定義する第１パート（１１０）と、該制御メッセージのオプションを定義する第２パート（１２０）と、データを収容する第３パート（１３０）を有する、請求項１から４のいずれか１項記載の方法。
【請求項６】
制御メッセージ（１０１，１０３）の第３パート（１３０）内において無線局（１０，１１）を制御および／または管理するための情報エレメントをそれらの無線局間で伝送する、請求項５記載の方法。
【請求項７】
前記情報エレメントは、無線局の使用周波数、無線局の干渉状況、無線局（１０，１１）に割り当てられた無線セルのトラフィック状況、過去のトラフィック状況に関する統計的パラメータおよびエラーメッセージである、請求項６記載の方法。
【請求項８】
前記制御メッセージ（１０１，１０３）をその伝送前に暗号化する、請求項１から７のいずれか１項記載の方法。
【請求項９】
前記無線伝送プロトコル（２１１，２１２）を HIPERPLAN 規格または HIPERPLAN-2 規格に対応させる、請求項１から８のいずれか１項記載の方法。
【請求項１０】
前記通信プロトコルをＵＤＰプロトコル（User Data Protocol）と結び付けられたＩＰ規格（Internet-Protocol）に対応させ、これをイーサネット規格、ＩＥＥＥ−８０２．３規格、ＡＴＭ規格（Asynchronous Transfer Mode）、ＩＥＥＥ規格またはＵＭＴＳ規格（Universal Mobile Telecommunication Service）上で構築する、請求項１から９のいずれか１項記載の方法。
【発明の詳細な説明】
【０００１】
従来の技術
ＬＡＮ（Local Area Networks）形式の無線ネットワークが知られており、これは少なくとも部分的に無線ＬＡＮで実現されるように構築されている。この種の無線ＬＡＮはたとえばセルラネットワークとして構築され、そこではそれぞれ１つの中央ユニットもしくは無線局が１つの無線セルをサービスしている。この無線セル内には複数のターミナルもしくは端末機器が存在している。各無線局は、たとえばＩＰネットワークなどのように有線接続されたネットワークを介して接続されている。この種の無線ＬＡＮに関する一例は、ETSI (European Telecommunication Standards Institut) の標準化プロジェクト "BRAN/HIPERLAN Type 2" である。このような無線ＬＡＮには（通常は有線接続されている）コアネットワークが含まれており、このコアネットワークを介して各無線局が互いに接続されている。この場合、各無線局は共通の通信プロトコルたとえばＩＰ（Internet Protocol）などに従い、コアネットワークを介しＵＤＰ（User Data Protocol）を用いることで互いに通信を行う。ＵＤＰによれば、ＩＰネットワークを介してデータパケットをコネクションレスで送ることができる。この場合、ＴＣＰ（Transmission Control Protocol）とは異なりデータ保護機能は提供されない。つまり重複、損失あるいはＩＰネットワーク上での個々のデータパケットの相互の追い越しに対する保護が得られない。その代わりにＵＤＰデータパケットは一般に非常に高速に伝達される。コアネットワークの通信プロトコルたとえばＩＰプロトコルはＬＡＮ全体で利用できるけれども、ＬＡＮのうち無線パートの通信パートナの固有のシグナリングのためには設計されていない。
【０００２】
発明の利点
これに対し独立請求項の特徴部分に記載の構成を備えた本発明による方法の利点は、無線伝送プロトコルすなわちＬＡＮの無線パートにおける各通信パートナ間の通信のためのプロトコルに固有の情報がコアネットワークを介して伝送されることにある。殊に有利であるのは、無線伝送プロトコルに固有の制御情報を伝送するために本発明による方法を使用することであり、その理由はそのことによりＬＡＮの無線パートにおける個々の手順が著しく加速されて実行されるからである。しかも無線インタフェースに加わるデータが軽減され、その結果、ネットワークのパフォーマンス全体が上昇する。さらに無線伝送プロトコルに固有の制御情報を用いたいくつかのサービスがこれによって初めて実現され、たとえばそれは修理や保守のサービスなどであり、このようなサービスは無線固有の制御情報がコアネットワークを介して伝送可能でなければ提供できないものである。
【０００３】
さらに有利であるのは、付加的なプロトコル層によって以下のことを保証することである。すなわち、第２の無線局から第１の無線局へ第１の制御メッセージが送信された後、所定のタイムインターバル満了前に第１の無線局が送出し第１の制御メッセージに対し受領確認および／または応答した第２の制御メッセージが第２の無線局内に到達しなければ、第１の制御メッセージの送信を繰り返すようにするのである。このことで、たとえばＵＤＰプロトコルの使用によるデータパケットの迅速な伝達がデータパケットの伝達成功のコントロールと結び付けられる。
【０００４】
さらに有利であるのは、第１の無線局との通信から第２の無線局との通信への少なくとも１つの端末機器の引き渡し（ハンドオーバ）を、少なくとも１つのコネクションが遮断されないようタイムインターバルの適切な選定により支援することである。これにより、たとえある無線局から別の無線局への端末機器のハンドオーバが行われていようと、端末機器と無線局との間の連続的な通信を保証することができる。
【０００５】
さらに有利には、通信プロトコルを介して到達可能な無線局のリストが第１の無線局内に格納され、有利には規則的なタイムインターバルで更新されることである。これにより到達可能な無線局に関する更新された情報を無線局の各々に設けることができるようになり、その結果、たとえば個々の無線局の追加あるいは除去などによって場合によっては生じる可能性のあるコアネットワークのコンフィグレーション変更が、無線局各々によって自動的に検出されるようになる。
【０００６】
さらに有利には、第１の無線局と第２の無線局との間で制御メッセージが交換され、この場合、制御メッセージの各々は、制御メッセージのメッセージ型を定義する第１パートと、制御メッセージのオプションを規定する第２パートと、データを含む第３パートを有している。これにより制御メッセージを、伝達すべき情報の要求にそのつど整合させることができる。
【０００７】
さらに有利には制御メッセージの第３パートにおいて、無線局を制御および／または管理するための情報エレメントが各無線局間で伝送され、たとえば無線局の使用周波数、無線局の干渉状況、無線局に割り当てられた無線セルのトラフィック状況、過去のトラフィック状況に関する統計的パラメータならびにエラーメッセージが伝送される。このようにして様々な無線局間で制御メッセージを交換することにより、ＬＡＮが管理され制御される。
【０００８】
さらに有利には制御メッセージがその伝送前に暗号化される。これにより、不法の盗聴や交換される制御メッセージの偽造に対しいっそう強いセキュリティが実現される。
【０００９】
さらに有利であるのは、無線伝送プロトコルを HIPERLAN または HIPERLAN-2 規格に対応させることである。これにより本発明による方法を、この規格に沿って稼働されるすべてのＬＡＮネットワークにおいて利用することができる。
【００１０】
さらにまた有利には、通信プロトコルがＵＤＰプロトコルと結び付けられたＩＰ規格（Internet Protocol）と対応づけられ、これはイーサネット規格、ＩＥＥＥ−８０２．３規格、ＡＴＭ規格（Asynchronus Transfer Mode）、ＩＥＥＥ１３９４規格あるいはＵＭＴＳ規格（Universal Mobile Telecommunication Service）上に構築される。このようにしてコアネットワークのレベルにおいて、様々な多数の通信プロトコルを使用することができる。
【００１１】
図面
図面には本発明の実施例が描かれており、次にそれらについて詳しく説明する。
【００１２】
図１は、コアネットワークおよび無線パートをもつ無線ＬＡＮネットワークを示す図である。
【００１３】
図２は、無線ＬＡＮネットワークのプロトコルダイアグラムである。
【００１４】
図３は、制御メッセージの構造を示す図である。
【００１５】
図４は、各無線局間で制御メッセージがコントロールされて伝送される際の第１のシグナリングダイアグラムを示す図である。
【００１６】
図５は、各無線局間で制御メッセージがコントロールされて伝送される際の第２のシグナリングダイアグラムを示す図である。
【００１７】
実施例の説明
図１には無線ＬＡＮネットワークが描かれており、これはコアネットワーク１とＬＡＮネットワークにおける無線パート２から成る。コアネットワーク１は第１の無線局１０、第２の無線局１１、通信リンク２０ならびにコアネットワーク１の他の加入者２１によって構成されている。第１の無線局１０も第２の無線局１１も通信リンク２０と双方向で接続されている。さらに通信リンク２０はコアネットワーク１の別の加入者２１と双方向で接続されている。無線局１０，１１もＬＡＮネットワークにおける無線パートの一部分である。このため第１の無線局１０も第２の無線局１１もそれぞれ送受信アンテナ１２を有している。ＬＡＮにおける無線パート２のさらに別の部分は第１の端末機器５、第２の端末機器６および第３の端末機器７である。各端末機器５，６，７には図示されていない送受信アンテナが装備されており、無線局１０，１１とワイヤレスで通信できるように構成されている。この場合、破線によってＬＡＮネットワークにおける無線パート２とＬＡＮネットワークにおけるコアネットワーク１とが分けられており、この破線の延びは、無線局１０，１１がＬＡＮネットワークにおける無線パート２とコアネットワーク１とのインタフェースを成すように描かれている。端末機器５，６，７と無線局１０，１１との間のワイヤレスリンクはエアインタフェースを介して本発明によればたとえば無線周波数電波のリンクとして実装されるが、赤外線リンク、光リンク等として構成してもよい。
【００１８】
第１の無線局１０はＬＡＮネットワークにおける図示されていない第１の無線セルをサービスし、第２の無線局１１はＬＡＮネットワークにおける図示されていない第２の無線セルをサービスする。第１および第２の無線局１０，１１はこの実施例では多数の無線局の代表として表されている。同様に端末機器５，６，７も多数の端末器の代表として表されており、それらの端末機器はそれぞれ所定の時点に無線局１０，１１のうちの１つと通信を行い、また、それらの端末機器は引き渡し手順（ハンドオーバ）を用いて無線局１０，１１を替えることも可能である。その際、端末機器５，６，７はそれらの無線セルの無線局１０，１１と少なくとも１つのコネクションを維持し、このようなコネクションは論理コネクションと呼ばれることもある。１つの端末機器５，６，７と１つの無線局との間で複数の論理コネクションを生じさせることが可能であり、その際、それらの論理コネクションの各々はたとえば端末機器で利用される他のサービスなどに使われる。この種のサービスはたとえば電話やデータ伝送などとすることができる。コアネットワーク１の別の加入者２１はたとえば別の無線局、ＩＰサーバ等として構成されている。
【００１９】
図２には、無線局１０，１１における本発明のプロトコルダイアグラムが描かれている。このプロトコルダイアグラムにおいても、無線局１０，１１が本発明によるＬＡＮネットワークにおいてはコアネットワーク１とＬＡＮネットワークにおける無線パート２との間のインタフェースを成していることがわかる。本発明によるプロトコルダイアグラムに関して、無線局１０，１１において用いられているプロトコルは次のようなプロトコルに分けられることになる。すなわち通信リンク２０を介した通信に用いられるプロトコルと、エアインタフェースを介しアンテナ１２によってデータを送受信する端末機器５，６，７との通信に用いられるプロトコルとに分けられる。ＯＳＩ（Open System Interconnection）参照モデルに準拠して、本発明によるプロトコルダイアグラムの最下層には第１の物理層２２１と第２の物理層２１１が設けられており、第１の物理層２２１は基本的に無線局１０，１１を通信リンク２０に物理的に結び付けるために用いられ、また、第２の物理層２１１は基本的にアンテナ１２に対する無線インタフェースつまりは各端末機器５，６，７への無線インタフェースを提供する。本発明によるプロトコルダイアグラムによれば第１の物理層２２１の上には第１の中間層２２２が続いており、本発明によればたとえばイーサネットインタフェースの形態で設けられている。第２の物理層２１１の上には、別個には描かれていない第２の中間層における第１の部分層２１２が続いている。第１の部分層２１２（以下ではＤＬＣ層２１２ Data Link Control とも称する）には無線インタフェースに特有のすべての機能が含まれており、この場合、殊に無線インタフェースへのアクセスコントロールすなわちＭＡＣコントロール（Medium Access Control）が実現されている。第１の部分層２１２の上には第２の中間層における第２の部分層２１３が続いており、これはその上に位置するフォーマットへの機能や無線インタフェースのデータ型の整合を実行する。第２の部分層２１３を以下ではＣＬ層２１３（Convergence Layer）とも称する。本発明によれば無線インタフェースはたとえば HIPERLAN-2-無線インタフェースとして設けられており、したがって第２の部分層２１３は HIPERLAN-2 機能および HIPERLAN-2 データ型をその上に位置するフォーマットに合わせて整合させる。つまり HIPERLAN-2 データフォーマットとして存在するパケットから第２の部分層２１３によって、この第２の部分層２１３の上に位置する通信プロトコルを利用できるパケットが形成される。
【００２０】
第１の中間層２２２の上でも第２の中間層の上でもつまり第２の部分層２１３の上でも本発明によるプロトコルダイアグラムには、本発明によればたとえばＩＰ層とＵＤＰ層２６０を有する通信プロトコルが含まれている。ＩＰ層２５０は第２の部分層２１３からＩＰデータパケットを受け取り、これはルータの機能を果たし、したがってＩＰパケットは第１の中間層２２２（イーサネット層）を介して他の無線局１０，１１へ、もしくはコアネットワーク１の別の加入者２１へ、あるいは無線局１０，１１内のさらに高い層へ供給される。ＵＤＰ層２６０はＩＰ層２５０の上に位置しており、これは単に１つの伝送方式を成すものにすぎず、これによればＩＰベースのネットワークを介して接続されている送信側と受信側との間でデータを伝送することができる。とはいえＵＤＰ層２６０では伝送されたデータパケットの保護は行われず、つまり失われたまたは２重になったパケットが伝送時にそのようなものとして検出されない。
【００２１】
この通信プロトコルの上においてプロトコルダイアグラムには付加的なプロトコル層２８０が設けられており、これはＩＰネットワークとのヘテロジニアスな混在環境において無線伝送プロトコルを支援するために、たとえば HIPERLAN-2 ネットワークの無線伝送プロトコルを支援するために用いられる。この付加的なプロトコル層２８０を以下ではＨＴＣＰ（HIPERLAN Control Transport Protocol）層２８０とも称する。ＨＴＣＰ層２８０はたとえば、各無線局１０，１１相互間の通信のためと各無線局１０，１１とアドミニストレータとの間の通信のために用いられる。この場合、ＨＴＣＰ層２８０の役割は殊に無線インタフェースであり、すなわちこの実施例では HIPERLAN-2 インタフェースであり、これによればいくつかの機能の実施にあたり支援を行いそれによって負担を軽減する。この目的で、種々の無線局１０，１１がコアネットワーク１を介して相互間で通信を行う。ケーブル接続されたネットワークは一般に無線伝送プロトコルのエアインタフェースよりも高いデータレートで稼働されるので、無線局１０，１１の間で交換すべきデータをコアネットワーク１を介して伝送することにより速度に関して明確な利点が得られ、これは時間的にクリティカルな機能において殊に好影響を及ぼす。しかもエアインタフェースの負担が軽減され、したがっていっそう多くのユーザデータを受け入れることができる。
【００２２】
コアネットワーク１を介して相互に接続された様々な加入者たとえば無線局１０，１１における個々のＨＴＣＰ層２８０は、ＨＴＣＰメッセージ１００とも呼ばれる制御メッセージ１００を交換する。図３にはこの種のＨＴＣＰメッセージ１００が示されており、これは特定のデータフォーマットをもっている。このデータフォーマットによればＨＴＣＰメッセージ１００において第１パート１１０、第２パート１２０および第３パート１３０が定義される。第１パート１１０はＨＴＣＰメッセージ１００のメッセージ型の記述のために用いられる。第２パート１２０はＨＴＣＰメッセージ１００のオプションの記述のために用いられ、さらに第３パート１３０にはＨＴＣＰメッセージ１００を伝送する情報要素が含まれている。たとえば情報要素には無線局１０，１１で使用される周波数、無線局１０，１１の干渉状況、無線局１０，１１に対応づけられた無線セル内のトラフィック状況、過去のトラフィック状況に関する統計的パラメータ、エラーメッセージなどが含まれている。これらの情報エレメントはたとえば、制御メッセージ１００の交換にあたり無線局１０，１１を制御および／または管理するために用いられる。
【００２３】
次に図４および図５に基づき、ＨＴＣＰメッセージ１００を用いて時間的にクリティカルな HIPERLAN-2 機能を実行するための実施例について説明する。図４には無線局１０，１１間での制御メッセージ１００のコントロールされた伝送における第１のシグナリングダイアグラムが、図５にはそれに関する第２のシグナリングダイアグラムが描かれている。制御メッセージ１００はこの実施例では、第１の無線局１０との通信から第２の無線局１１との通信への第１の端末機器５の引き渡しプロセス（ハンドオーバ）を実現するために用いられる。第１の無線局１０と端末機器５との間に生じているすべての通信コネクションを、このプロセスにおいて第２の無線局１１が引き継いで引き続き実行するようにしたい。このためコネクションデータセットを第２の無線局１１へ伝送する必要がある。たとえば無線セルの移りかわりなどによって引き起こされるような引き渡しに際して、第１の端末機器５が第２の無線局１１に届け出る場合、この登録にあたり第１の端末機器５は第１の無線局１０のアドレスを伝送する。上記のアドレスおよびこの登録過程において伝送される第１の端末機器５の識別子を用いて、第２の無線局１１は第１の無線局１０に対しコネクションデータを要求する。この場合、第２の無線局１１のＨＴＣＰ層２８０と第１の無線局１０のＨＴＣＰ層２８０とが通信を行い、制御メッセージ１００を交換し合う。制御メッセージ１００は無線局１０，１１を接続するコアネットワーク１を介して伝送される。コネクションデータのほか、第２の無線局１１と第１の無線局１０との間のダイレクトな通信により、第２の無線局１１に対する第１の端末機器５の認証ならびに場合によっては存在する暗号コードの伝送も実行することができる。これにより付加的な速度の利点が得られる。それというのもコアネットワーク１を介したデータは一般に、端末機器５，６，７と無線局１０，１１との間の無線コネクションを介するよりも高いデータレートで伝送できるからである。
【００２４】
このような引き渡しプロセスを明確にするため図４にも図５にも参照符号５の付された第１の垂直線が設けられており、これは上方から下方へ向かうそれらの垂直方向の経過によって、第１の端末機器５における到来メッセージおよび送出メッセージの時間経過特を表す。さらに図４および図５には参照符号１１の付された第２の垂直線が設けられており、ここで第２の垂直線は第２の無線局１１における到来データおよび送出データの時間経過を表す。さらに図４および図５には参照符号１０をもつ第３の垂直線が設けられており、これは第１の無線局における到来データおよび送出データの時間経過を表す。これらの垂直線における時間経過の向きは、参照符号ｔをもつ垂直方向で下向きの第１０の矢印によって表される。図４および図５の基本構造のこのような共通の記述法に従い、次に図４について詳しく説明する。
【００２５】
図４では第１の水平方向矢印は第１の線から第２の線へ向かっている。第１の矢印はハンドオーバ指示に相応し、これは第１の端末機器５により第２の無線局１１へ向けて送信される。ハンドオーバ指示５１には第１の無線局１０のアドレスが含まれており、このアドレスは引き渡しプロセス開始前に第１の端末機器５を導いていたものである。さらに引き渡し指示５１には、第１の端末機器５を同定する識別子が含まれている（ターミナル識別）。引き渡し指示５１は無線伝送プロトコル２１１，２１２に従い行われる。それに基づき第２の無線局１１は第１の無線局１０に対し第２の矢印により表された第１の制御メッセージ（データセットリクエスト）を用いて、引き渡し実行に必要とされるデータセットを要求する。この場合、第２の矢印は第２の垂直線から第３の垂直線へ向かい、これは空間的に第１の水平方向矢印の下に位置しており、これにより第１の制御メッセージ１０１が時間的に引き渡し指示５１後に行われることが表される。第１の制御メッセージ１０１と同時に第２の無線局１１はタイムカウンタ１５０をスタートさせ、このタイムカウンタ１５０は、第１の無線局１０からの応答が所定のタイムインターバル内に第２の無線局１１に到着するかを監視する。データセットリクエスト１０１とも称する第１の制御メッセージ１０１に対し第１の無線局１０は、第３の水平矢印で表された第２の制御メッセージ１０３を用いて応答する。レスポンス１０３とも称する第２の制御メッセージ１０３には、認証、暗号化、および第１の端末機器５と第１の無線局１０との間で確立されているコネクションの形式について必要とされる情報が含まれている。
【００２６】
第４の矢印は第３の線から第２の線に向かっている。タイムカウンタ１５０は垂直方向に下向きの第３の矢印によって表され、これは第２の矢印の高さのところで始まり、その長さは所定のタイムインターバルに相応するものであって、つまりデータセットリクエスト１０１に対し第１の無線局１０のレスポンス１０３が第２の無線局１１のところに到着しなければならないタイムインターバルに対応している。図４の場合にはレスポンスは適時に到着しており、このことは第３の矢印が空間的に第４の矢印の最終ポイントの上に位置していることにより表される。したがって図４には、第１の無線局１０からのレスポンス１０３が第２の無線局１１に適時に到着した事例が描かれている。レスポンス１０３が到着するとタイムカウンタ１５０がクリアされる。無線局１０と無線局１１との間の通信に利用されるリクエスト１０１とレスポンス１０３は、図３に示した基本構造に従い構成された制御メッセージ１００である。第１の無線局１０から第２の無線局１１への引き渡しの例であれば、既述のようにデータセットを要求するためとこの要求に応答するために制御メッセージ１００が用いられる。たとえば無線局１０，１１の管理の場合など他の通信状況のためには、個々の通信状況に合わせて設計されたパート１１０，１２０，１３０をもつ別の制御メッセージ１００が用いられる。
【００２７】
第１の端末機器５と第２の無線局１１との間の通信ならびにデータフォーマットは、本発明によればたとえば HIPERLAN-2 標準に従い記述される。このため第２の無線局１１は、第５の水平方向矢印により表されたハンドオーバ確認５３を第１の端末機器５へ送信する。第５の矢印は第２の垂直線から第１の垂直線へ向かっている。第５の水平方向矢印は空間的に第４の矢印の下方に設けられており、このことは、ハンドオーバ確認５３の時点はレスポンス１０３よりも遅いことに相応する。
【００２８】
図５には、第１の端末機器５と第１もしくは第２の無線局１０，１１との間における制御メッセージ１００のコントロールされた伝送における第２のシグナリングダイアグラムが描かれている。第２のシグナリングダイアグラムにおける通信開始は第１のシグナリングダイアグラムにおける通信開始と同じであり、したがって図５中の第１の矢印、第２の矢印、第３の矢印は図４の場合と同じであるが以降の時間経過に関してシグナリングダイアグラムの相違がある。
【００２９】
図５の場合、タイムカウンタ１５０の期間満了まで第１の無線局１０から第２の無線局１１へレスポンス１０３が到達しなかった。その結果として第２の無線局１１はデータセットリクエスト１０１を繰り返し、このことは第６の水平方向矢印によって表されている。この矢印は第２の線から第３の線へと向かっており、第４の矢印の最終ポイントよりも下方に位置している。これと同時にタイムカウンタ１５０は２回目の始動を行い、このことは下向きの第７の矢印によって表されている。第７の矢印は第６の矢印の高さのところで始まり、第２の無線局１１がデータセットリクエストに対するレスポンス１０３を予期する所定のタイムインターバルを表している。
【００３０】
データセットリクエスト１０１の反復に応じて第２の無線局１１は第１の無線局１０からタイムカウンタ１５０の期間満了前に適時に、水平方向の第８の矢印により表されたレスポンス１０３を受け取る。第８の矢印は第３の垂直線から、第７の矢印の最終ポイントよりも上で第２の垂直線に向かっている。したがってタイムカウンタ１５０がクリアされる。第１の無線局１０から第２の無線局１１への第１の端末機器５のハンドオーバは、第２の無線局１１から第１の端末機器５へのハンドオーバ確認５３により終結させられる。このことは第２の線から第１の線へ向かう第９の水平方向矢印により表される。
【００３１】
この適用事例の場合、コアネットワークはいわゆるイーサネットまたは IEEE 802.3 ネットワークとして構築されており、その理由はたいていのローカルエリアネットワークは今日、イーサネットネットワークとして構築されているからであり、この場合、イーサネット／IEEE 802.3 を介してＩＰパケットが伝送される。したがってイーサネット／IEEE 802.3 標準により IP/UDP/HTCP データ伝送を処理するのも有用である。
【００３２】
とはいえ HIPERLAN-2 によれば、ATM, IEEE1394 または UMTS などのような他のコアネットワーク１を用いることもできる。このような事例では、いかなるときでもＩＰプロトコルスタックを使えるわけではない。このためその場合には、個々のコアネットワークを介してＩＰを伝送するかまたは、IP/UDP とは異なるサービスを使用しなければならない。コアネットワーク１にＵＭＴＳを利用する事例では、これもワイヤレスで構成される。
【００３３】
安全性をさらに改善する目的で有効となり得るのは、各無線局１０，１１間におけるＨＴＣＰを介した通信を付加的に暗号化して、コアネットワーク中のＨＴＣＰパケットを盗み見たり変更したりするのを防止できるようにすることである。このためにＩＰ用に定義されている既存の暗号化メカニズムが考慮される。HIPERLAN-2 は無線局１０，１１のためにＩＰとは異なるドレスを用いるので、このアドレスの変換を実行する必要がある。このために有用であるのは各無線局１０，１１ごとに、到達可能な（他の）無線局１０，１１をもつリストを格納することであり、そこには到達可能な無線局１０，１１各々に対する両方のアドレスが列挙されている。この場合、リストを最新に保つ目的で、それらのアドレスはダイナミックに求められるものとし、所定時間後に再び消去されるものとする。無線局１０，１１のアドレスは次のようにして求めることができる。すなわち、制御メッセージ１００における第３パート１３０中のＨＴＣＰ情報エレメントが到達可能な１０，１１の HIPERLAN-2 アドレスに対する問い合わせとともに、到達可能なすべての無線局１０，１１へ送信することにより求めることができる。問い合わせられた HIPERLAN-2 アドレスをもつ無線局１０，１１はこの問い合わせに応答し、そのレスポンスとして固有のＩＰアドレスを通知する。
【図面の簡単な説明】
【図１】  コアネットワークおよび無線パートをもつ無線ＬＡＮネットワークを示す図である。
【図２】  無線ＬＡＮネットワークのプロトコルダイアグラムである。
【図３】  制御メッセージの構造を示す図である。
【図４】  各無線局間で制御メッセージがコントロールされて伝送される際の第１のシグナリングダイアグラムを示す図である。
【図５】  各無線局間で制御メッセージがコントロールされて伝送される際の第２のシグナリングダイアグラムを示す図である。
【図１】
0004723148.tif 000002
【図２】
0004723148.tif 000003
【図３】
0004723148.tif 000004
【図４】
0004723148.tif 000005
【図５】
0004723148.tif 000006